(57)【要約】      （修正有）【課題】グリップアンカーが不要であり、少ない工程数で施工可能な打ち込み型管体用防水継手装置を提供する。【解決手段】コンクリートスラブより成る取り付け面の開口から上に突出する、排水や通気のための管体の上端部に施す防水継手装置として、取り付け面上に敷設する打ち込み金具１２と、管体の外側面に嵌め合わせる弾性パッキング１３と、上記打ち込み金具上に立てて管体の上端部に接続する内部構造を有する防水継手本体１５を具備し、打ち込み金具は、取り付け面の開口を形成するスリーブ１７の外側に嵌まり込む筒状部１８及び防水継手本体の基部を固定する底板部１９から成り、かつまた筒状部１８の上部外周に一体に底板部１９を設けるものとする。【選択図】図１
0003140928.tif 000002
【実用新案登録請求の範囲】
【請求項１】
コンクリートスラブより成る取り付け面の開口から上に突出する、排水や通気のための管体の上端部に施す防水継手装置であって、取り付け面上に敷設する打ち込み金具と、管体の外側面に嵌め合わせる弾性パッキングと、上記打ち込み金具上に立てて管体の上端部に接続する内部構造を有する防水継手本体を具備し、打ち込み金具は、取り付け面の開口を形成するスリーブの外側に嵌まり込む筒状部及び防水継手本体の基部を固定する底板部から成り、筒状部の上部外周に一体に底板部を設けた構成を有する打ち込み型管体用防水継手装置。
【請求項２】
防水継手本体の基部を固定する手段として、ボルト固定のためのメネジ部が底板部に複数箇所設けられており、メネジ部は底板部の下方へ突出する部分の上面に形成されており、上記下方へ突出する部分が取り付け面に食い込むアンカー部を構成している請求項１記載の打ち込み型管体用防水継手装置。
【請求項３】
底板部の下面からコンクリートスラブに食い込む構造として、底板部の下方へ突出する部分として副アンカー部がメネジ部のアンカー部の間に複数箇所設けられている請求項２記載の打ち込み型管体用防水継手装置。
【考案の詳細な説明】
【技術分野】
【０００１】
本考案は、排水や通気のための管体の端部に施す打ち込み型の管体用防水継手装置に関するものである。
【背景技術】
【０００２】
この種の防水継手は、取り付け面上に突出する管体の端部の差し込み口を有し、かつ、差し込みによって管体の端部がシールされるように、予めゴムパッキングを差し込み口内に装備した構成を有している。しかし施工上の問題により、ゴムパッキングの接触不良による漏水を生じることがあった。なお、この種の防水継手を取り扱う発明には例えば特開平１０−２５８６５号がある程度であった。
【０００３】
このため出願人は先に開発した成果に基づいて実用新案登録第３０９１３９８号を提案し、好結果を得た。しかし同考案の構造上、建造物の屋上が形成した後に底板を用いてアンカー穴をコンクリートスラブより成る取り付け面に下書きするとともに穿孔し、しかる後グリップアンカーを躯体に埋め込み、ボルトを用いて本体を固定する必要がある。このため工程数が多くなり、またグリップアンカーの強度に継手の固定力が左右されることになった。
【０００４】
【特許文献１】特開平１０−２５８６５号
【特許文献２】実用新案登録第３０９１３９８号
【考案の開示】
【考案が解決しようとする課題】
【０００５】
本考案は前記の点に着目してなされたもので、その課題は、グリップアンカーが不要であり、少ない工程数で施工可能な打ち込み型管体用防水継手装置を提供することである。また本考案の他の課題は、施工が容易で、安定した継手の固定力を得ることができる打ち込み型管体用防水継手装置を提供することである。
【課題を解決するための手段】
【０００６】
前記の課題を解決するため本考案は、コンクリートスラブより成る取り付け面の開口から上に突出する、排水や通気のための管体の上端部に施す防水継手装置として、取り付け面上に敷設する打ち込み金具と、管体の外側面に嵌め合わせる弾性パッキングと、上記打ち込み金具上に立てて管体の上端部に接続する内部構造を有する防水継手本体を具備し、打ち込み金具について、取り付け面の開口を形成するスリーブの外側に嵌まり込む筒状部及び防水継手本体の基部を固定する底板部から成るものとし、筒状部の上部外周に一体に底板部を設けるという構成を具備したものである。
【０００７】
本考案の打ち込み型管体用防水継手装置は、取り付け面上に突出する上記の管体の上端部に施すものであり、そのために取り付け面に打ち込み金具を固定する。打ち込み金具の設置は取り付け面のコンクリート打設と同時に行い、取り付け面に植え込むもので、それにより打ち込み金具は、取り付け面を構成するコンクリートスラブ内に配置される。なお工事は、床などに開けられた開口から管体が突き出している状況において行われる。管体としては通気管、排水管等が対象となる。
【０００８】
本装置は、取り付け面上に敷設する上記の打ち込み金具と、管体の外側面に嵌め合わせる弾性パッキングと、上記打ち込み金具上に立てて管体の上端部に接続する内部構造を有する防水継手本体を具備している。弾性パッキングは管体と本装置との気密、水密的接続を行なうものであり、防水継手本体は上記打ち込み金具上に立てて管体の上端部に接続することが可能な内部構造を有する。また、打ち込み金具の一部分は弾性パッキングを加圧して所期の弾性圧縮率を得るための役割も持っている。弾性パッキングは管体に嵌め合わされるリング状のもので、軟質のＣＲ（クロロプレンラバー）スポンジラバーよりも硬質のＣＲ製が望ましい。
【０００９】
上記の打ち込み金具については、取り付け面の開口を形成するスリーブの外側に嵌まり込む筒状部及び防水継手本体の基部を固定する底板部から成るものとし、打ち込み部の上部外周に一体に底板部を設けるものとする。これにより打ち込み金具は、取り付け面へのコンクリート打設によって取り付け面に植え込まれるので、グリップアンカーが不要になり、施工の容易化、固定の安定化に寄与する。
【００１０】
防水継手本体の基部を固定する手段として、ボルト固定のためのメネジ部が底板部に複数箇所設けられ、メネジ部が底板部の下方へ突出する部分の上面に形成され、上記下方へ突出する部分がコンクリートスラブより成る取り付け面に食い込むアンカー部として利用されることは、望ましい構成である（請求項２）。さらに、底板部の下面からコンクリートスラブに食い込む構造として、底板部の下方へ突出する部分を副アンカー部としてメネジ部のアンカー部の間に複数箇所設けることが可能である（請求項３）。
【考案の効果】
【００１１】
本考案上記のように構成されかつ作用する打ち込み金具を具備しており、グリップアンカーが不要であり、少ない工程数で施工可能な打ち込み型管体用防水継手装置を提供することができる。また本考案によれば、装置取り付け面へのコンクリート打設時に打ち込み金具の取り付けが行われるので、施工が容易であり、またアンカー部により安定した継手の固定力を得ることができるという効果を奏する。
【考案を実施するための最良の形態】
【００１２】
以下図示の実施例を参照して本考案をより詳細に説明する。本考案の打ち込み型管体用防水継手装置１０は、図１に示すように、取り付け面上に敷設する打ち込み金具１１と、管体１２の外側面に嵌め合わせる円形リング状の弾性パッキング１３と、上記打ち込み金具上に立てて管体１２の上端部に接続する内部構造１４を備えた、防水継手本体１５を具備している。弾性パッキング１３は相対的に硬質のＣＲラバー製品より成り、管体１２の外側及び後述の口部傾斜縁２８と押圧部２９に密着する寸法、形状を有している。
【００１３】
上記打ち込み金具１１は、筒状部１８と防水継手本体１５の基部を固定する底板部１９とから成り、筒状部１８の上部外周に一体に底板部１９を設けた一体化構造を有している（図２、図３参照）。上記筒状部１８は、後述する取り付け面１６の開口を形成するスリーブ１７の外側に嵌まり込む円筒型の形状及び寸法を有しており（図２Ｂ）、また底板部１９は、防水継手本体１５の基部を固定する円形皿型の形状及び構造を有している。底板部１９は皿状の鋳造品より成り、防水継手本体１５の鍔部２５よりも一回り大径として、中央に管体１２を通す口部を形成したものである。
【００１４】
防水継手本体１５の基部を固定する手段として、底板部１９にはボルト固定のためのメネジ部２０が底板部上面に３箇所等角度間隔にて設けられている。メネジ部２０は底板部１９の下方へ突出する部分２１の上面に形成されており、上記下方へ突出する部分２１は平坦な底板部１９においてコンクリートスラブより成る取り付け面１６に食い込むアンカー部を構成している。
【００１５】
図示の例においては、さらに底板部１９の下面からコンクリートスラブに食い込む構造として、底板部１９の下方へ突出する部分２２が副アンカー部としてメネジ部２０のアンカー部の間に同様に等角度間隔で３数箇所設けられている（図２参照）。図示の例における副アンカー部はその下端にアンカー部材２３として頭付きボルトをねじ込んでおり、アンカー効果をさらに向上させている。
【００１６】
前記の防水継手本体１５は縦長筒状の外形を有し、取り付け面側に据え付けるためのやや拡がった基部２４とその下端から外側に拡がった鍔部２５を有している。鍔部２５には前記底板部１９のメネジ部２０と一致する箇所にネジ取り付け孔２６が形成されている。２７は固定手段としてのボルトであり、上記メネジ部２０に螺合する。
【００１７】
防水継手本体１５を打ち込み金具上に立てて管体１２の上端部に接続する内部構造として、底板部１１の口部傾斜縁２８とともに弾性パッキング１３を囲んで管体１２の外側面に押し付けるように、内向き鍔状の押圧部２９を中空内部に有している（図３参照）。防水継手本体１５は、管体１２の接続のための内部構造として、その中空内部に管体１２の上端部３０と嵌め合わされる下向きの接続筒部３１を有している。
【００１８】
防水継手本体１５は鋳物製のため相応の重量を有するが、本考案では接続筒部３１より下方は薄肉の中空殻状に形成され、従来のような中実構造ではないため本体重量はほぼ半減する。また押圧部２９と接続筒部３１は共にその中空殻状の内方へ向かって突出する形状に設けられており、本体基部２４における構造強度を高めている。防水継手本体１５は上端に外向き鍔状の受部３２を有し、そこにカバー３３がボルト止めされている。
【００１９】
上記構成を有する本考案の打ち込み型管体用防水継手装置１０を使用するには、先ず、下部型枠３４に円形取り付け板３５を数箇所釘止め３６して確実に固定する（図４Ａ）。その上に位置決め３７を利用してスラブ厚に適合したスリーブ１７を配置し、円形取り付け板３５の中心に固定されているナット３８にスラブ厚に適合した長ボルト３９をねじ込んで立て（図４Ｂ）、スリーブ１７の外側に筒状部１８を嵌まり込ませるとともに打ち込み金具１１を載せてセットする（図４Ｃ）。
【００２０】
次いで、図５に示された円形押さえプレート４０を中心孔４０ａにて長ボルト３９に通し、周縁部４０ｂにて打ち込み金具１１に被せ、長ボルト３９に蝶ナット４１をねじ込んで押さえプレート４０を固定する。なお、底板部１９の下方へ突出する部分２２には頭付きボルトがアンカー部材２３として取り付けられている（図５Ｂ）。必要な離型処理を行い、スラブを打設し、コンクリートの養生を待って押さえプレート４０を取り外し、かつ脱型する。脱型直前の状態は図２、また脱型後の状態は図３に示されている。脱型により打ち込み金具１１は、筒状部１８が下方へ突出する部分２１、２２とともにコンクリートスラブに植え込まれて、強固に固定された状態になる。
【００２１】
コンクリートスラブより成る取り付け面１６に設置された打ち込み金具１１の口部から上に突出する管体１２に弾性パッキング１３を嵌め、打ち込み型管体用防水継手装置１０の防水継手本体１５を管体１２に被せ、接続筒部３１を管体上端部３０に嵌め合わせる。これにより押圧部２９が弾性パッキング１３に上から接し、底板部１１の口部傾斜縁２８との間で弾性パッキング１３を挟み、かつパッキング全周を囲んで管体１２の外側面に押し付ける状態で配置される。この状態において、ボルト２７をネジ取り付け孔２６からメネジ部２０へねじ込み、弾性パッキング１３を加圧し弾性変形させ、防水継手として完成する（図３）。
【００２２】
防水継手本体１５の鍔部２５を受け支える底板部１９が皿状鋳造品とされ、両者間の隙間４２に余裕を持たせているので、弾性パッキング１３を受けるための間合いも安定する。本考案は以上の如く構成されかつ作用するものであるから、コンクリートスラブから成る取り付け面１６に強固に取り付けられ、従って弾性パッキング１３による気密、液密もより確実になり、何より従来の数個のグリップアンカーによる固定に対して安定性が著しく高められる。
【図面の簡単な説明】
【００２３】
【図１】本考案に係る打ち込み型管体用防水継手装置の一例を示す分解斜視図である。
【図２】同じく本装置における打ち込み金具を示すもので、Ａは平面図、Ｂは断面図である。
【図３】同じく本装置の設置後の状態を示す断面図である。
【図４】同じく本装置の施工工程を示すもので、Ａは円形取り付け板を型枠に取り付けた状態を示す平面図、Ｂは円形取り付け板上にスリーブを配置した状態を示す断面図、Ｃは打ち込み金具をスリーブ上に配置した状態を示す断面図である。
【図５】同じく本装置の施工工程を示すもので、Ａは押さえプレートの説明図、Ｂは打ち込み金具の取り付けを終えた状態を示す断面図である。
【符号の説明】
【００２４】
１０  打ち込み型管体用防水継手装置
１１  打ち込み金具
１２  管体
１３  弾性パッキング
１４  内部構造
１５  防水継手本体
１６  取り付け面
１７  スリーブ
１８  筒状部
１９  底板部
２０  メネジ部
２１、２２  下方へ突出する部分
２３  アンカー部材
２４  基部
２５  鍔部
２６  ネジ取り付け孔
２７  ボルト
２８  口部傾斜縁
２９  押圧部
３０  上端部
３１  接続筒部
３２  受部
３３  カバー
３４  下部型枠
３５  円形取り付け板
３６  釘止め
３７  位置決め
３８  ナット
３９  長ボルト
４０  円形押さえプレート
４１  蝶ナット
４２  隙間
【図１】
0003140928.tif 000003
【図２】
0003140928.tif 000004
【図３】
0003140928.tif 000005
【図４】
0003140928.tif 000006
【図５】
0003140928.tif 000007